(57)【要約】【課題】堆積物を水中に拡散せずかつ、必要以上の水を同伴することなくポンプで汲み上げる堆積物の吸引手段を提供するものである。【解決手段】河川もしくは湖等の底部の堆積物をポンプで吸引する方法において、堆積物の上部にシートを敷き、シート下の堆積物を吸引することを特徴とする堆積物を飛散させない堆積物吸引方法である。シートで堆積物を覆うことによって堆積物の拡散が防げるとともに、シートが堆積物上に沈むことによって、堆積物中の水が上部に逃げるため高濃度の堆積物を汲み上げることが可能となる。そのため、汲み上げた堆積物を水と固形の堆積物との分離する効率が高くなる効果が得られる。【選択図】図１
2005002743.tif 000002
【特許請求の範囲】
【請求項１】
河川もしくは湖等の底部の堆積物をポンプで吸引する方法において、堆積物の上部にシートを敷き、シート下の堆積物を吸引することを特徴とする堆積物を飛散させない堆積物の吸引方法。
【請求項２】
河川もしくは湖等の底部の堆積物上にシートを敷き設し、シート下の堆積物を遮蔽することを特徴とする堆積物の遮蔽方法。
【発明の詳細な説明】
【０００１】
【発明の属する技術分野】
本発明は、河川、湖沼、ダム等の底に堆積した堆砂、シルト、粘土類をポンプを用いて除去する際、堆積物を飛散させない水中の堆積物の吸引技術に属する。
【０００２】
【従来の技術】
河川や湖沼の底層部に堆積している砂、シルト、粘土類の高含水堆積物は、浚渫工事などにおいて掘削した場合、廃棄処分が困難であるとともに、放置しておくと近隣の環境に影響を与える場合もある。またダムなどに堆積した堆砂、シルト、粘土類は、ダムの有効容量を減少させその寿命を縮める。
従来より、かかる高含水堆積物の除去はポンプで吸引あるいはグラブで掻き上げることが行われている。
【０００３】
この時、粘土、シルト類は水中に拡散し、その多くは水流によって下流に流出する。これらシルト、粘土類はその色により水の透明度を損ない、見た目にも悪いうえに、海にまで流出し漁業に対し魚の産卵場である藻場を埋めるなどの悪影響を与える。
【０００４】
そのため、ポンプを用いて堆積層の表層から少しずつ汲み上げることで水中に飛散しないようにしている。またグラブ浚渫船による方法は図３に示すように、浚渫すべき場所を箱にて囲いその箱の中を浚渫することで外部に堆積物が拡散しないようにしている。しかし、ポンプで吸引する方法は大量の水を同時に汲み上げることとなるため水と堆積物との分離が極めて困難となる。グラブ浚渫船ではシルト、粘土を主とする細かい堆積物の場合には適用が難しい。
【０００５】
【発明が解決しようとする課題】
本発明は、堆積物を水中に拡散せずかつ、必要以上の水を同伴することなくポンプで吸引する堆積物の吸引手段を提供するものである。
【０００６】
【課題を解決するための手段】
本第１の発明は、河川もしくは湖等の底部の堆積物をポンプで吸引する方法において、堆積物の上部にシートを敷き、シート下の堆積物を汲み上げることを特徴とする水中の堆積物を飛散させない吸引方法である。
本第２の発明は、河川もしくは湖等の底部の堆積物上にシートを敷き設し、シート下の堆積物を遮蔽することを特徴とする堆積物の遮蔽方法シートで堆積物を覆うことによって堆積物の拡散が防げるとともに、シートが透水性であれば、堆積物上に沈むことによって、堆積物中の水が上部に逃げるため堆積物の濃度が高まる。
吸引する場合、高濃度の堆積物を吸引することが可能となる。そのため、吸引した堆積物を水と固形の堆積物との分離効率が高くなる。
【０００７】
【発明の実施の形態】
以下本発明を、図を用いて、より詳細に説明する。
図１は、本発明の堆積物の吸引方法の概念図を示す。
図１に示すように、河川、湖沼の底部に堆積した堆積物をシートで覆い、シートの下部にポンプの吸入口を差込、あるいは事前に設置したポンプの上をシートで覆い、堆積物を吸引し、船上あるいは陸上にて吸い上げた泥水から堆積物と水を分離する。
【０００８】
河川湖沼の広範囲にわたる堆積物を吸入するためには、図１に示す方法を、場所を替えながら実施すればよい。広い面積を有するシートが利用可能な場合、ポンプの吸入口を移動させればよい。その方法として、シートを適宜区画し、各区画毎にポンプの吸入部をシート下におろせるように開閉自在な開口部を設けておき、１区画の堆積物を吸引した後、他の区画部にポンプの吸引口を移動させてもよい。開口自在な開口部は例えばシート開口部周辺に物理的に接着するテープを張り、蓋となるシートに対応する物理的、機械的に接続するボタン、テープなどでを張ることで実施できる。
区画部間の移動はアクアラングなど装備し、人手で実施することが可能である。
【０００９】
シートを堆積物上に広げ、沈める方法に付き以下説明する。
シートはできる限り、広げ皺のよらない状態で静かに堆積物上に沈めるのが堆積物を水中に拡散させないためにも好ましい。
岸辺からシートの両端を掴み左右に張力のかかる状態で、船あるいは対岸から引張ることで、河川あるいは湖沼の除去すべき堆積物上に引っ張っていき静かに沈める。
シートが水中に自然沈下するようシートの周辺部に錘を付帯させておくことも可能である。例えば鎖をその周辺部に巻き込んでおけばよく、シートを折りたたむ際にも都合がいい。また上記シートを区画した場合、各区画部の周辺に上記錘を設けておけば各区画部毎に錘が堆積物中に沈み込み堆積物をシートで押し下げる効果がある。
【００１０】
シートをさらに水平状態に広げるため、シートの周辺部に空気パイプを走らせ、空気の出入可能な常態にしておく。シートが水面上にほぼ広がった時点で前記空気パイプに空気を入れると空気パイプは棒状・直線状となりシートを水面上に皺のない状態で広げることができる。
空気パイプによる浮力が足りない場合は、空気パイプを格子状に必要な量だけ設けておくことができる。
【００１１】
上記方法を用いて、吸引すべき堆積物上に広げたシートは空気パイプの中の空気を徐々に抜くことによりシートの周辺部に設けた錘により静かに堆積物上に落ち着く。この時、さらに必要に応じて空気パイプの中に水を導入することで空気パイプ中の水を押し出してもよい。
【００１２】
本発明に用いるシートは、水面からそのまま下方に沈めるためには水を通す透水性のシートであることが好ましい。また透水性のシートであれば、堆積物上に落ち着いた際、堆積物中に含まれる水分が透水性シートを通して抜けるため堆積物の濃度を高める効果がある。
【００１３】
シートの材質は水中での強度があれば特にその種類は問わないが、一般に土木用に用いられている市販のシートを使用することができる。
シートの大きさも、取り扱いの便利さ、堆積物を吸引する場所の広さなど考慮して決めることができる。シート１辺の長さも特に制限はないが１０メートル程度から１００メートル程度の広さのものが１回の作業量等から適当である。
必要に応じて現場でシートをつなげてさらに大きくして使用しても何らさしつかえない。
【００１４】
本第２の発明は、シート下の堆積物をそのままシートにより遮蔽することで堆積物の拡散を防止するものである。必要に応じてシートの所要部を水底に固定しておくことができる。
特に、堆積物を除去するまで、一時的に堆積物の拡散を防ぐことが可能となる。
【００１５】
吸引した堆積物は、陸上で例えば沈砂池に導き沈め、上澄みを戻すなどあるいは薬品処理等既存の方法を利用すればよい。
【発明の効果】
本発明は、上記説明の通り、堆積物上をシートで覆い、シートで覆われた中で堆積物を吸引するため、堆積物が水中に拡散することがなく、シートが堆積物上に落ち着く際、周辺の錘で下方に引っ張られるため堆積物がシートによって押し下げられ、堆積物中の水分含量が減少する。
そのため、同一堆積のポンプの吸引量でも堆積物の濃度が高くなり除去効率が極めて高くなる。
【図面の簡単な説明】
【図１】は、本発明の堆積物の吸引方法を示す概念図である。
【図２】は、本発明に使用するシートを示す概念図である。
【図３】は、従来のグラブ浚渫船による堆積物除去の概念図である。
【符号の説明】
１  堆積物
２  シート
３  錘
４  空気パイプ
５  吸引パイプ
【図１】
2005002743.tif 000003
【図２】
2005002743.tif 000004
【図３】
2005002743.tif 000005